【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
１つ以上の発光素子を持つ照明装置のためのコンフィギュラブルコントローラであって、該コンフィギュラブルコントローラは、
前記照明装置を制御するためのユーザ入力を受けるよう構成される、タッチセンシティブ領域を有する、ユーザインタフェース装置、
リモートデバイスを介してユーザから、前記ユーザインタフェース装置の所望のコンフィギュレーションを示すコンフィギュレーション入力を受けるよう構成される、通信ユニット、及び
処理ユニット、
を有し、前記処理ユニットは、受けた前記コンフィギュレーション入力に基づいて、及び前記タッチセンシティブ領域の少なくとも１つの特性に基づいて前記照明装置の出力特性の選択可能な値の範囲を前記タッチセンシティブ領域にマッピングするよう構成され、前記処理ユニットは、マッピングされた前記選択可能な値の範囲に従って受けた前記ユーザ入力に基づいて前記照明装置を制御するよう構成され、前記処理ユニットは、前記タッチセンシティブ領域の少なくとも１つの特性に関する情報を有する第２の出力データを生成するよう構成され、
前記通信ユニットは、前記第２の出力データを前記リモートデバイスに送るよう構成され、
前記タッチセンシティブ領域の少なくとも１つの特性は、前記タッチセンシティブ領域の大きさ、形状及び解像度のうちの少なくとも１つを含む、コンフィギュラブルコントローラ。
【請求項２】
前記照明装置の前記出力特性は、
少なくとも１つの発光素子により出力される光の強さ、
少なくとも１つの発光素子により出力される光の色、
少なくとも１つの発光素子により出力される光の色温度、
少なくとも１つの発光素子により出力される光の彩度、
少なくとも１つの発光素子により発せられる光の角度、
光を発する発光素子の数、
少なくとも１つの発光素子により発せられる光ビームの幅、
少なくとも１つの発光素子により発せられる光の配光、
少なくとも１つの発光素子により発せられる光の形状、及び
前記照明装置の任意の他の出力特性との間の変化の速度、
のうちの少なくとも１つを含む、請求項１に記載のコンフィギュラブルコントローラ。
【請求項３】
前記ユーザインタフェース装置は、１つ以上の視覚出力デバイスを有し、前記１つ以上の視覚出力デバイスは、前記照明装置の前記出力特性についての前記選択可能な値の範囲の視覚的表現を表示するよう構成される、請求項１又は２に記載のコンフィギュラブルコントローラ。
【請求項４】
前記ユーザインタフェース装置は、受けたタッチに基づいて前記ユーザ入力を生成するよう構成される複数のタッチセンシティブ領域を有する、請求項１、２又は３に記載のコンフィギュラブルコントローラ。
【請求項５】
前記処理ユニットは、前記照明装置の前記出力特性についての全てのあり得る値に関する情報を有する第１の出力データを生成するよう構成され、
前記通信ユニットは、前記第１の出力データを前記リモートデバイスに送るよう構成される、請求項１乃至４の何れか一項に記載のコンフィギュラブルコントローラ。
【請求項６】
１つ以上の発光素子を持つ照明装置のためのコンフィギュラブルコントローラをコンフィギュレーションするためのリモートデバイスであって、該リモートデバイスは、
コンフィギュレーション入力を生成するよう構成されるリモートデバイス処理ユニット、及び
前記コンフィギュレーション入力を前記コンフィギュラブルコントローラに渡すよう構成されるリモートデバイス通信ユニット、
を有し、
前記コンフィギュレーション入力は、前記照明装置の出力特性についての選択可能な値の範囲に関する情報に対応する、リモートデバイス。
【請求項７】
当該リモートデバイスは、前記コンフィギュラブルコントローラから第１の出力データを受けるよう構成され、前記第１の出力データは、前記照明装置の前記出力特性についての全てのあり得る値に関する情報に対応し、
前記リモートデバイス処理ユニットは、受けた前記第１の出力データに基づいて前記コンフィギュレーション入力を生成するよう構成される、請求項６に記載のリモートデバイス。
【請求項８】
当該リモートデバイスは、前記コンフィギュラブルコントローラから第２の出力データを受けるよう構成され、前記第２の出力データは、前記コンフィギュラブルコントローラのユーザインタフェース装置の特性に対応し、
前記リモートデバイス処理ユニットは、受けた前記第２の出力データに基づいて前記コンフィギュレーション入力を生成するよう構成される、請求項６に記載のリモートデバイス。
【請求項９】
前記コンフィギュラブルコントローラのユーザインタフェース装置の特性は、離散的な値又は連続的な値のどちらが前記コンフィギュラブルコントローラのユーザインタフェース装置に表示するために必要とされるかに関する指示、又は、二次元又は一次元表示のどちらが前記コンフィギュラブルコントローラのユーザインタフェース装置を通じて利用可能であるかに関する指示を有する、請求項８に記載のリモートデバイス。
【請求項１０】
当該リモートデバイスは、ユーザ選択入力を受けるよう構成されるリモートデバイスユーザインタフェース装置を有し、前記リモートデバイス処理ユニットは、受けた前記ユーザ選択入力に基づいて前記コンフィギュレーション入力を生成するよう構成される、請求項６、７、８又は９に記載のリモートデバイス。
【請求項１１】
前記リモートデバイスユーザインタフェース装置は、
受けたタッチに基づいて前記ユーザ選択入力を生成し、
前記照明装置の出力特性についての選択可能な複数の、選択可能な値の範囲を表示するよう構成されるタッチセンシティブディスプレイを有し、
前記選択可能な複数の範囲から範囲が選択されると、前記リモートデバイス処理ユニットは、前記照明装置の出力特性についての選択された前記選択可能な値の範囲に関する前記コンフィギュレーション入力を生成する、請求項１０に記載のリモートデバイス。
【請求項１２】
１つ以上の発光素子を持つ照明装置、
請求項１乃至５の何れか一項に記載のコンフィギュラブルコントローラ、及び
請求項６乃至１１の何れか一項に記載のリモートデバイス、
を有する照明システム。
【請求項１３】
１つ以上の発光素子を持つ照明装置を制御する方法であって、
通信ユニットにより、リモートデバイスを介してユーザから、タッチセンシティブ領域を有するユーザインタフェース装置の所望のコンフィギュレーションを示すコンフィギュレーション入力を受けるステップ、
処理ユニットにより、受けた前記コンフィギュレーション入力に基づいて、及び前記タッチセンシティブ領域の少なくとも１つの特性に基づいて前記照明装置の出力特性についての選択可能な値の範囲を前記タッチセンシティブ領域にマッピングするステップ、
前記処理ユニットにより、前記ユーザインタフェース装置から前記照明装置を制御するためのユーザ入力を受けるステップ、
前記処理ユニットにより、マッピングされた前記選択可能な値の範囲に従って受けた前記ユーザ入力に基づいて前記照明装置を制御するステップ、
前記処理ユニットにより、出力信号を生成するステップ、及び
前記通信ユニットにより、前記出力信号を前記リモートデバイスに渡すステップ、
を含み、
前記出力信号は、前記照明装置の出力特性についての全てのあり得る値及び前記ユーザインタフェース装置の特性のうちの少なくとも１つに関する情報を含み、前記ユーザインタフェース装置の特性は、前記タッチセンシティブ領域の大きさ、形状及び解像度のうちの少なくとも１つを含む方法。
【請求項１４】
前記ユーザインタフェース装置に具備される１つ以上のディスプレイにおいて、前記照明装置の出力特性についての前記選択可能な値の範囲の視覚的表現を表示するステップを含む、請求項１３に記載の方法。